(57)【要約】【課題】光通信に使用される通信機器の使用に支障を生じないように、通信装置の消費電力を低減する、消費電力制御方法を提供する。【解決手段】光通信装置は、光信号を出力する光源と、送信データを変調して光源に入力する変調手段と、設定値を保持する記憶手段と、光源及び変調手段を制御する制御手段を備える。制御手段は、指示に応じて、記憶手段から設定値を取得して、光源及び変調手段の少なくとも一つの消費電力を制御することを特徴とする。【選択図】      図１
2012060298.tif 000002
【特許請求の範囲】
【請求項１】
光信号を出力する、光源と、
送信データを変調して前記光源に入力する、変調手段と、
前記光源及び前記変調手段の設定値を保持する、記憶手段と、
前記光源及び前記変調手段を制御する、制御手段と、
前記制御手段に与える前記設定値を決定する、消費電力調整手段と、
を備え、
前記消費電力調整手段は、指示に応じて、前記記憶手段から該設定値を取得して、消費電力が最適化されかつ使用に支障を生じないように、前記制御手段に与える設定値を決定し、
前記制御手段は、前記与えられた設定値に基づいて、前記光源及び前記変調手段の少なくとも一つの消費電力を制御することを特徴とする、光通信装置。
【請求項２】
前記指示は、消費電力の低減を指示する第１の指示と、消費電力の低減の指示を含まない第２の指示と、を含むことを特徴とする、請求項１に記載の光通信装置。
【請求項３】
前記第１の指示に応じた設定値は、前記光源が接続されるネットワークにおける前記送信データの伝送に問題が生じないように、決定された値を含むことを特徴とする、請求項２に記載の光通信装置。
【請求項４】
前記光源が接続されるネットワークから受信したデータを検出する検出手段をさらに備え、
前記制御手段は、前記検出されたデータに基づいて、前記光源及び前記変調手段の少なくとも一つの消費電力を制御することを特徴とする、請求項１に記載の光通信装置。
【請求項５】
前記制御手段は、前記検出されたデータに基づいて、前記光源及び前記変調手段の少なくとも一つの消費電力が低減できるときに、前記光源及び前記変調手段の少なくとも一つの消費電力を低減するように、前記設定値を変更することを特徴とする、請求項４に記載の光通信装置。
【請求項６】
送信データをもとに光信号を出力する光通信装置の消費電力を制御する制御方法であって、
前記送信データの変調及び前記光信号の出力についての設定値を設定するステップと、
前記設定値に従って、前記送信データを変調するステップと、
前記設定値に従って、光信号を出力するステップと、
を含み、
指示に応じて、消費電力が最適化されかつ使用に支障が生じないように、前記変調及び前記光信号の出力の少なくとも一つについての消費電力が制御されることを特徴とする、光通信装置の消費電力制御方法。
【請求項７】
前記指示は、消費電力の低減を指示する第１の指示と、消費電力の低減の指示を含まない第２の指示と、を含むことを特徴とする、請求項６に記載の制御方法。
【請求項８】
前記第１の指示に応じた設定値は、前記光通信装置が接続されるネットワークにおける前記送信データの伝送に問題が生じないように、決定された値を含むことを特徴とする、請求項７に記載の制御方法。
【請求項９】
前記光通信装置が接続されるネットワークから受信したデータを検出するステップをさらに含み、
前記検出されたデータに基づいて、前記変調及び前記光信号の出力の少なくとも一つの消費電力を制御することを特徴とする、請求項６に記載の制御方法。
【請求項１０】
前記検出されたデータに基づいて、前記変調及び前記光信号の出力の少なくとも一つの消費電力が低減できるときに、前記変調及び前記光信号の出力の少なくとも一つの消費電力を低減するように、前記設定値を変更することを特徴とする、請求項９に記載の制御方法。
【発明の詳細な説明】
【技術分野】
【０００１】
本発明は、光通信に使用される通信装置の消費電力を制御する方法、及び、消費電力が制御される光通信装置に関する。
【背景技術】
【０００２】
近年、通信量の増加及び通信速度の高速化に起因して、ネットワーク機器の消費電力の増大が問題となっている。消費電力の増大は、電源設備の大型化と、発生する熱を冷却するための施設を必要とし、ネットワーク機器を運営する費用を押し上げる原因となっている。
【０００３】
このため、ネットワーク機器の消費電力の抑制が近年ますます重要になっている。
【０００４】
特許文献１は、通信相手であるほかの通信装置より供給される動作状態の通知を探知し、その状態を示す情報に基づいて、インタフェースの動作状態、信号出力、及び起動の制御をする通信装置を開示する。
【０００５】
図５は、特許文献１が開示するネットワークインタフェース１０１１の構成を示すブロック図である。光ケーブルを伝送された光信号は、受信用光信号波形変換部（ＰＭＤ-ＲＸ）１０２４において受信される。状態制御部１０６１は、ホスト１０１２からの指示やネットワークインタフェース１０１１に接続される他の通信装置の状態に基づいて、ネットワークインタフェース１０１１の各部の動作状態を制御する。すなわち、状態制御部１０６１に内蔵されるＰＳ（ｐｏｗｅｒ ｓａｖｅ）マネージャ１０７１は、パワーマネジメントを制御するステートマシンを内蔵し、そのステートマシンの現在のステートを示す電力制御状態情報を出力することにより、インタフェース部１０２２のＭＡＣ１０３１やＰＳＣ１０３２、リンクパルス発生部１０７３の動作を制御する。さらに、ＰＳマネージャ１０７１は、スリープ状態のホスト１０１２を起動するウェイク信号を出力する。ＰＳマネージャ１０７１は、リンクパルス探知部１０７２より受信リンクパルス状態情報を取得すると、ステートマシンの現在のステートを更新する。
【０００６】
また、特許文献２は、出力すべき光信号の出力値（強度及び波長）に対して最適化された設定値（電流値、温度、強度など）を記憶し、動作時に、指示された出力値の光信号を発生する光送信モジュールを開示する。
【０００７】
図６は、特許文献２が開示する光送信モジュール２０１１の構成を示すブロック図である。光送信モジュール２０１１には、ＬＤ（レーザダイオード）制御ＬＳＩ２０１２が実装される。ＬＤモジュール２００２から出力された光出力は、ＬＤ-Ｄｒｖ（ＬＤ変調ドライバ）２０１６により光信号に変調されて出力される。
【０００８】
外部システムからデータが入力されると、シリアルパラレル変換回路２０１５によりパラレルデータに変換され、レジスタ２０１４に記憶される。記憶されたデータはＤＡＣ（ディジタルアナログ変換器）２０１３により各回路への入力電圧に変換される。
【０００９】
入力電圧に基づいて出力される光信号は、ＡＴＣ（自動温度制御）回路２００３、ＡＰＣ（自動光強度制御）回路２００４及びＡＣＣ（自動電流制御）回路２００５により、一旦設定された光出力が通信環境の変化にかかわらず一定に保持されるように、自動的に制御される。光出力を設定しなおすときの設定値が、レジスタ２０１４に保持されている。この設定値を取得するために、光送信モジュール２０１１に、測定器及び演算装置を接続した自動調整系が構成され、各回路の設定値が調整されてレジスタに書き込まれる。
【先行技術文献】
【特許文献】
【００１０】
【特許文献１】特開２００７−２１４７３１
【特許文献２】特開２００３−２２４３２６
【発明の概要】
【発明が解決しようとする課題】
【００１１】
しかしながら、消費電力を抑制するために、出力を下げたり、デューティー比を下げたりするだけでは、ネットワーク機器の使用に支障を生ずる。安定したネットワーク環境は、近年、通信システムに対するもっとも強い要求である。
【００１２】
特許文献１の開示するネットワーク通信機器は、通信相手の動作状態を検知して、その検知結果により、自装置の動作を変更するため、通信相手の状態情報が供給されない場合、通信に支障が生じることがある。すなわち、自装置は、信号を受信しない状態にあれば、通信相手からの信号を受信することができない。
【００１３】
特許文献２の開示する光送信モジュールは、波長分割多重（ＷＤＭ）を利用して信号を伝送する。すなわち、特許文献２の開示する光送信モジュールは、波長の異なる複数の搬送波を多重化して信号を伝送するため、波長が信号出力により影響されないという課題を解決するための構成である。指示された出力値に対する最適な設定値が自動的に与えられる。このため、消費電力を低減するように駆動電流値を制御すれば、波長が変化し、信号同士の干渉が発生し、通信に支障が生じる。従って、特許文献２の構成は、消費電力の低減には適用できない。
【００１４】
本発明はこのような状況に鑑みてなされたものであり、消費電力を低減しながら、通信機器の使用に支障を生じない、光通信装置及び光通信方法の消費電力制御方法を提供する。
【課題を解決するための手段】
【００１５】
本発明の光通信装置は、光信号を出力する光源と、送信データを変調して光源に入力する変調手段と、光源及び変調手段の設定値を保持する記憶手段と、光源及び変調手段を制御する制御手段と、制御手段に与える設定値を決定する消費電力調整手段とを備えた光通信装置であって、消費電力調整手段は、指示に応じて、記憶手段から該設定値を取得して、消費電力が最適化されかつ使用に支障を生じないように、制御手段に与える設定値を決定し、制御手段は、与えられた設定値に基づいて、光源及び変調手段の少なくとも一つの消費電力を制御することを特徴とする。
【００１６】
本発明の制御方法は、送信データをもとに光信号を出力する光通信装置の消費電力を制御する制御方法であって、送信データの変調及び光信号の出力についての設定値を設定するステップと、設定値に従って送信データを変調するステップと、設定値に従って光信号を出力するステップとを含み、指示に応じて、消費電力が最適化されかつ使用に支障が生じないように、変調及び光信号の出力の少なくとも一つについての消費電力が制御されることを特徴とする。
【００１７】
本発明の制御プログラムは、送信データをもとに光信号を出力する光通信装置の消費電力を制御する制御プログラムであって、指示に応じて、送信データの変調及び光信号の出力の少なくとも一つについての消費電力を制御するように、送信データの変調及び光信号の出力についての設定値を設定する処理と、設定値に従って送信データを変調する処理と、設定値に従って光信号を出力する処理とをコンピュータに行わせ、消費電力が最適化されかつ使用に支障が生じないように、出力についての設定値が設定されることを特徴とする。
【発明の効果】
【００１８】
本発明は、ネットワーク通信に使用される光通信装置に関する。本発明によれば、通信に支障を生じることなく、光通信装置の消費電力を低減することが可能になる。
【図面の簡単な説明】
【００１９】
【図１】本発明の第１の実施形態の構成を示すブロック図である。
【図２】本発明の第１の実施形態の動作を示す流れ図である。
【図３】本発明の第２の実施形態の構成を示すブロック図である。
【図４】本発明の第２の実施形態の動作を示す流れ図である。
【図５】関連技術を説明するための図である。
【図６】関連技術を説明するための図である。
【発明を実施するための形態】
【００２０】
（第１の実施形態）
次に、発明を実施するための形態について、図面を参照して、詳細に説明する。
【００２１】
図１は、本発明の第１の実施形態による伝送装置の構成を示すブロック図である。
【００２２】
本発明の実施形態に係る伝送装置１は、光通信装置１２及び該光通信装置１２にＩ２Ｃ（Ｉｎｔｅｒ Ｉｎｔｅｇｒａｔｅｄ Ｃｉｒｃｕｉｔ）バス１７を介して接続された指示手段１１を備える。光通信装置１２は、例えば、ホスト装置２０からの信号を、ＸＦＰ（１０（Ｘ） Ｇｉｇａｂｉｔ Ｓｍａｌｌ Ｆｏｒｍ Ｆａｃｔｏｒ Ｐｌｕｇｇａｂｌｅ）などの規格に従って光信号に変調して送信する。なお、本実施形態は、ＸＦＰの規格に限定されず、ＳＦＰ（Ｓｍａｌｌ Ｆｏｒｍ Ｆａｃｔｏｒ Ｐｌｕｇｇａｂｌｅ）或はＸＥＮＰＡＫ（１０（Ｘ） Ｇｉｇａｂｉｔ ＥｔｈｅｒＮｅｔ ｔｒａｎｓｃｅｉｖｅｒ Ｐａｃｋａｇｅ）などの規格も適用できる。
【００２３】
光通信装置１２は、ディジタルアナログ変換器（ＤＡＣ）１４、レーザダイオード（ＬＤ）１９及びレーザダイオードドライバ（ＬＤＤ）１５を備え、デジタル信号を光信号に変調し、光出力として出力する。
【００２４】
ＤＡＣ１４には、光信号の出力、ＬＤＤ１５の駆動電流、ＬＤ１９のバイアス電流及び設定温度などの値が与えられる。これらの値は、ＤＡＣ１４に接続された演算回路（ＣＰＵ）１３（制御手段）において、ＣＰＵ１３に接続された消費電力調整手段３１により設定される。
【００２５】
これらの設定値は、ＣＰＵ１３に接続された記憶手段１８に格納されており、必要に応じて記憶手段１８から読み出され、消費電力調整手段３１により決定された値がＣＰＵ１３に与えられる。
【００２６】
次に、本発明の実施形態に係る光通信装置の動作を、図１及び図２を参照して説明する。
【００２７】
電力を低減して光信号を送信する場合、指示手段１１はＩ２Ｃバス１７を介して光通信装置１２に、電力低減を指示する。消費電力調整手段３１は、ＣＰＵ１３が電力低減指示を受信すると（Ｓ１０１ＹＥＳ）、ＤＡＣ１４において送信信号を電力低減モードの光信号へ変調する処理に必要なパラメタの値、ＬＤＤ１５においてＬＤ１９を駆動する処理に必要なパラメタの値、及びＬＤ１９の動作に必要なパラメタ値（以下、光出力へのパラメタ値と称する。）を、記憶手段１８から読み出して、読み出した値を元にして設定をする（Ｓ１０３）。指示手段１１から、電力低減指示を受信しない場合は、ＣＰＵ１３は、通常モードの光出力へのパラメタの値を、記憶手段１８から読み出して設定する。なお、図２において、Ｓ１０１のステップは、電力低減モードで変調する設定値によりＤＡＣ１４が信号を変調する状態において、指示手段１１が通常モードで光信号を出力する設定に変更する処理を含んでもよい。この場合、ステップＳ１０１は、通常モードへの変更指示を受信、と読み替えて、ＹＥＳとＮＯを入れ替える。
【００２８】
消費電力調整手段３１は、光通信装置１２の消費電力を最適化し、かつ、実使用に支障を及ぼさないように、光出力へのパラメタ値を決定する。例えば、光出力の波長が光通信処理における信号検出の領域外に出ないように、ＬＤ１９からの光出力の強度を低減する。また、ＬＤＤ１５の動作温度が所定の温度以下になるように温度制御手段（図示せず）を制御しながら、駆動電流の値を低減してもよい。
【００２９】
ＤＡＣ１４での変調処理に必要なパラメタ値が設定されると、光通信装置１２は、ホスト装置２０からの送信信号を待つ。ＤＡＣ１４は、送信信号を受信して（Ｓ１０４ＹＥＳ）、設定された変調パラメタ値でホスト装置２０からの送信信号を変調し、ＬＤＤ１５に出力する。このとき、ＬＤＤ１５には、ＣＰＵ１３で設定された光出力へのパラメタ値が渡され、ＬＤＤ１５は、この光出力へのパラメタ値により、ＬＤ１９を駆動して、光信号を出力する（Ｓ１０５）。
【００３０】
電力低減モード及び通常モードでの光出力へのパラメタ値は、あらかじめ記憶手段１８に保持されている。通常モードでの光出力へのパラメタ値は、関連するＸＦＰの規格に従った光通信装置での光信号への変調及び光出力と同様に、光伝送特性が最適化されるように設定された値でよい。また、電力低減モードでの光出力のパラメタ値は、伝送装置１が接続されたネットワーク環境に応じて、消費電力が最適化されるよう、決定された値である。すなわち、このパラメタ値は、このネットワーク環境下での信号の送受信の伝送に問題が生じないように、例えば、伝送誤りが許容される範囲内で、消費電力を最小にするような値である。
【００３１】
これらのパラメタ値は、伝送装置１をネットワークに接続して、特性値を観測しながら、調整して求めてもよい。また、伝送装置１が接続されたネットワークを特徴付ける特性値などをもとにして推定してもよい。
【００３２】
なお、図２では、光出力へのパラメタ値が設定されてから、送信信号の変調及び光出力の処理が行われるが、光出力へのパラメタ値の設定は、送信信号を断続して光出力として送信する場合などでは、一部の送信信号の変調及び光出力の後であってもよい。
【００３３】
ＬＤ１９からの光出力を半分にする場合、ＬＤ１９が消費する電力はおおよそ半分になる。このとき、出力される光信号の伝送距離は、一般的なＳＭＦ（Ｓｉｎｇｌｅ Ｍｏｄｅ Ｆｉｂｅｒ）光ファイバの場合、光の伝送損失は約０．２ｄＢ／ｋｍであるので、約１５ｋｍ伝送距離が短くなる。すなわち、伝送距離に１５ｋｍ以上の余裕があれば、ＬＤ１９の消費電力を半分に下げても、信号伝送に問題は生じない。
【００３４】
また、ＸＦＰの規格に従った光通信装置は、光伝送特性を優先するように動作し、消費電力に最適化するように動作しない。このＸＦＰの光伝送特性は、伝送距離などが規格限界にある環境下でも十分に特性が確保されるように、設計され調整されている。従って、光伝送特性の規格限界よりも十分に余裕のある範囲の環境化で、この光通信装置を動作させる場合は、消費電力に最適化するように設定しても、実用上は、問題は生じない。ＬＤＤ１５は通常より低い駆動電流で動作し、ＬＤ１９は光特性が劣化した状態で動作する。この光出力の状態は、通常の特性と比較して、光出力が低く、ＬＤバイアス電流の低下によるアイパタンの劣化或はジッタの増大などが生じるが、伝送特性に大きな支障をきたさない程度の特性劣化で動作する。すなわち、本実施例に係る光通信装置は、光信号による信号伝送に必要な最小限の消費電力での動作が可能であり、関連する光通信装置では余剰である電力の消費を削減することができる。
【００３５】
（第２の実施形態）
図３は、本発明の第２の実施形態による伝送装置の構成を示すブロック図である。
【００３６】
第２の実施形態に係る伝送装置１０１は、第１の実施形態に係る伝送装置１における光通信装置１２に、ネットワークからの信号を入力して受信する受信手段２１及び受信手段２１により解析された結果をもとにして光出力を監視する検出手段２２を追加して、光通信装置１１２としたものである。第１の実施形態に係る伝送装置１と重複する部材については説明を省略する。
【００３７】
伝送装置１０１が接続されたネットワークの環境は、時間的に変化しており、消費電力を最適化するように設定された電力低減モードでの光出力へのパラメタ値を、ネットワーク環境の変化に応じて変更する必要がある。
【００３８】
検出手段２２には、ネットワークを伝送される信号の一部が入力され、ネットワークの状態の監視に用いられるデータが検出される。受信手段２１を通して、検出手段２２に入力される信号は、自装置１０１が発した光出力でもよいし、他の伝送装置などから発信される光信号であってもよい。また光通信ネットワークについての特性値を検出する検出手段（図示せず）をネットワークに備えてもよい。
【００３９】
次に、本発明の実施形態に係る光通信装置の動作を、図３及び図４を参照して説明する。
【００４０】
なお、第１の実施形態と重複する動作については、説明を省略する。
【００４１】
本実施形態に係る消費電力制御方法において、検出手段２２が取得した検出値が、あらかじめ定めた範囲を逸脱した場合、ネットワーク環境が変化して、光出力へのパラメタ値の変更が必要になったとする。例えば、ネットワークでの光伝送損失の増加や、他の信号との干渉などにより、光信号の誤り率が増大することが考えられる。或は、何らかの理由により通信環境が改善し、さらに消費電力を低下できる場合も考えられる。検出手段２２はこれら検出された値を消費電力調整手段３１に出力する。消費電力調整手段３１は、この検出値をあらかじめ定めた範囲内にあるかどうかを確認する。検出値が所定の範囲内にあれば（Ｓ２０３ＮＯ）、記憶手段１８に格納される電力低減モードでの光出力へのパラメタ値を読み出して、設定を行う。検出値が所定の範囲を逸脱すれば（Ｓ２０３ＹＥＳ）、信号伝送に問題の生じない範囲で、消費電力を最適化するように、光出力のパラメタ値を変更する（Ｓ２０４）。変更されたパラメタ値は、記憶手段１８に格納されてもよい。なお、パラメタ値の変更は、あらかじめ、検出値をもとにして変更値が参照される対応表を記憶手段１８に備えてもよいし、仮定に基づいて検出値から推定してもよい。また、電力低減モードから通常モードに変更してもよい。
【００４２】
また、通常モードでの運用時に、検出手段２２の検出した値が所定の範囲を逸脱するときには、ネットワークに伝送障害が発生したと考えられる。この場合に、通信経路を維持するために、ＬＤ１９が出力する光信号の出力を増加させるように、光出力へのパラメタ値を変更してもよい。
【００４３】
なお、図４では、光出力へのパラメタ値が設定されてから、送信信号の変調及び光出力の処理が行われるが、光出力へのパラメタ値の設定は、送信信号を断続して光出力として送信する場合などでは、一部の送信信号の変調及び光出力の後であってもよい。
【００４４】
第２の実施形態によれば、伝送装置１０１が接続されるネットワークの状態の変化により、通信環境が悪化した場合に、光出力へのパラメタ値を変更することにより、使用に支障の生じないように、設定を変更することができる。また、通信環境が改善して消費電力に余剰が生じた場合でも、さらに光出力を下げることにより、消費電力を低減できる。
【００４５】
ここで、上記の実施形態の一部又は全部は、以下の付記のようにも記載されうるが、以下には限られない。
【００４６】
（付記１）光信号を出力する光源と、送信データを変調して前記光源に入力する変調手段と、前記光源及び前記変調手段の設定値を保持する記憶手段と、前記光源及び前記変調手段を制御する制御手段と、前記制御手段に与える前記設定値を決定する消費電力調整手段とを備え、前記消費電力調整手段は、指示に応じて、前記記憶手段から該設定値を取得して、消費電力が最適化されかつ使用に支障を生じないように、前記制御手段に与える設定値を決定し、前記制御手段は、前記与えられた設定値に基づいて、前記光源及び前記変調手段の少なくとも一つの消費電力を制御することを特徴とする光通信装置。
【００４７】
（付記２）前記指示は、消費電力の低減を指示する第１の指示と、消費電力の低減の指示を含まない第２の指示とを含むことを特徴とする付記１に記載の光通信装置。
【００４８】
（付記３）前記第１の指示に応じた設定値は、前記光源が接続されるネットワークにおける前記送信データの伝送に問題が生じないように決定された値を含むことを特徴とする付記２に記載の光通信装置。
【００４９】
（付記４）前記光源が接続されるネットワークから受信したデータを検出する検出手段をさらに備え、前記制御手段は、前記検出されたデータに基づいて、前記光源及び前記変調手段の少なくとも一つの消費電力を制御することを特徴とする付記１に記載の光通信装置。
【００５０】
（付記５）前記制御手段は、前記検出されたデータに基づいて変更した前記設定値を前記記憶手段に格納することを特徴とする付記４に記載の光通信装置。
【００５１】
（付記６）前記制御手段は、前記検出されたデータに基づいて、前記光源及び前記変調手段の少なくとも一つの消費電力が低減できるときに、前記光源及び前記変調手段の少なくとも一つの消費電力を低減するように前記設定値を変更することを特徴とする付記４に記載の光通信装置。
【００５２】
（付記７）ネットワーク及びホスト装置に接続され、付記１に記載の光通信装置と、前記指示を前記光通信装置に送信する指示手段とを備え、前記変調手段は、前記ホスト装置から送信された送信データを変調し、前記光源は、前記ネットワークに光信号を出力することを特徴とする伝送装置。
【００５３】
（付記８）送信データをもとに光信号を出力する光通信装置の消費電力を制御する制御方法であって、前記送信データの変調及び前記光信号の出力についての設定値を設定するステップと、前記設定値に従って、前記送信データを変調するステップと、前記設定値に従って、光信号を出力するステップとを含み、指示に応じて、消費電力が最適化されかつ使用に支障が生じないように、前記変調及び前記光信号の出力の少なくとも一つについての消費電力が制御されることを特徴とする、光通信装置の消費電力制御方法。
【００５４】
（付記９）前記指示は、消費電力の低減を指示する第１の指示と、消費電力の低減の指示を含まない第２の指示とを含むことを特徴とする付記８に記載の制御方法。
【００５５】
（付記１０）前記第１の指示に応じた設定値は、前記光通信装置が接続されるネットワークにおける前記送信データの伝送に問題が生じないように決定された値を含むことを特徴とする付記９に記載の制御方法。
【００５６】
（付記１１）前記光通信装置が接続されるネットワークから受信したデータを検出するステップをさらに含み、前記検出されたデータに基づいて、前記変調及び前記光信号の出力の少なくとも一つの消費電力を制御することを特徴とする付記８に記載の制御方法。
【００５７】
（付記１２）前記検出されたデータに基づいて変更した前記設定値を記憶するステップをさらに含むことを特徴とする付記１１に記載の制御方法。
【００５８】
（付記１３）前記検出されたデータに基づいて、前記変調及び前記光信号の出力の少なくとも一つの消費電力が低減できるときに、前記変調及び前記光信号の出力の少なくとも一つの消費電力を低減するように前記設定値を変更することを特徴とする付記１１に記載の制御方法。
【００５９】
（付記１４）送信データをもとに光信号を出力する光通信装置の消費電力を制御する制御プログラムであって、指示に応じて、前記送信データの変調及び光信号の出力の少なくとも一つについての消費電力を制御するように、前記送信データの変調及び前記光信号の出力についての設定値を設定する処理と、前記設定値に従って前記送信データを変調する処理と、前記設定値に従って光信号を出力する処理とをコンピュータに行わせ、消費電力が最適化されかつ使用に支障が生じないように、前記出力についての設定値が設定される
ことを特徴とする制御プログラム。
【産業上の利用可能性】
【００６０】
本発明によれば、低消費電力が求められる伝送装置、ルータ、スイッチ、サーバにおいて、通信環境を確保しながら、消費電力を抑制する、という用途に適用できる。
【符号の説明】
【００６１】
１    伝送装置
１１    指示手段
１２    光通信装置
１３    ＣＰＵ
１４    ＤＡＣ
１５    ＬＤＤ
１７    Ｉ２Ｃバス
１８    記憶手段
１９    ＬＤ
２０    ホスト装置
２１    受信手段
２２    検出手段
３１    消費電力調整手段
１０１    伝送装置
１１２    光通信装置
【図１】
2012060298.tif 000003
【図２】
2012060298.tif 000004
【図３】
2012060298.tif 000005
【図４】
2012060298.tif 000006
【図５】
2012060298.tif 000007
【図６】
2012060298.tif 000008